(57)【特許請求の範囲】
【請求項１】
語句を認識してチューナーに選局を行わせる音声認識による選局装置において、
複数の放送局名に共通する共通語を認識する手段と、
共通語ごとに対応する１又は２以上の周波数を記録したテーブルと、
前記テーブルを参照することによって、認識された共通語に対応する周波数を前記チューナーに選局させる手段と、
地域を選択する手段と、を備え、
前記テーブルには、地域と周波数との対応関係が記録され、
前記選局させる手段は、認識された共通語に対応し、かつ、選択されている地域に対応する周波数を前記チューナーに選局させるように構成されたことを特徴とする音声認識による選局装置。
【請求項２】
語句を認識してチューナーに選局を行わせる音声認識による選局装置において、
複数の放送局名に共通する共通語を認識する手段と、
共通語ごとに対応する１又は２以上の周波数を記録したテーブルと、
前記テーブルを参照することによって、認識された共通語に対応する周波数を前記チューナーに選局させる手段と、
周波数を記憶するプリセットメモリと、を備え、
前記選局させる手段は、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させるように構成されたことを特徴とする音声認識による選局装置。
【請求項３】
共通語と他の語句からなる放送局名が認識された場合に、前記チューナーに出力されるコマンドを当該共通語と対応させて記憶する手段を有し、
前記選局させる手段は、共通語が認識され、当該共通語と対応させてコマンドが記憶されている場合に、当該コマンドを前記チューナーに出力するように構成されたことを特徴とする請求項１又は２に記載の音声認識による選局装置。
【請求項４】
語句を認識してチューナーに選局を行わせる音声認識による選局方法において、
複数の放送局名に共通する共通語を認識するステップと、共通語ごとに対応する１又は２以上の周波数を記録したテーブルを参照することによって、認識された共通語に対応する周波数を前記チューナーに選局させるステップと、地域を選択するステップと、を含み、
前記選局させるステップは、前記テーブルに記録された地域と周波数との対応関係に基づいて、認識された共通語に対応し、かつ、選択されている地域に対応する周波数を前記チューナーに選局させることを特徴とする音声認識による選局方法。
【請求項５】
語句を認識してチューナーに選局を行わせる音声認識による選局方法において、
複数の放送局名に共通する共通語を認識するステップと、
共通語ごとに対応する１又は２以上の周波数を記録したテーブルを参照することによって、認識された共通語に対応する周波数を前記チューナーに選局させるステップと、を含み、
前記選局させるステップは、周波数を記憶するプリセットメモリを用いて、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させることを特徴とする音声認識による選局方法。
【請求項６】
共通語と他の語句からなる放送局名が認識された場合に、前記チューナーに出力されるコマンドを当該共通語と対応させて記憶するステップを含み、
前記選局させるステップは、共通語が認識され、当該共通語と対応させてコマンドが記憶されている場合に、当該コマンドを前記チューナーに出力させることを特徴とする請求項４又は５に記載の音声認識による選局方法。
【請求項７】
コンピュータを用いて、語句を認識してチューナーに選局を行わせる音声認識による選局用プログラムを記録した記録媒体において、
当該プログラムは前記コンピュータに、
複数の放送局名に共通する共通語を認識させ、共通語ごとに対応する１又は２以上の周波数を記録したテーブルを参照することによって、認識された共通語に対応する周波数を前記チューナーに選局させ、地域を選択させ、
前記選局させる処理は、前記テーブルに記録された地域と周波数との対応関係に基づいて、認識された共通語に対応し、かつ、選択されている地域に対応する周波数を前記チューナーに選局させることを特徴とする音声認識による選局用プログラムを記録した記録媒体。
【請求項８】
コンピュータを用いて、語句を認識してチューナーに選局を行わせる音声認識による選局用プログラムを記録した記録媒体において、
当該プログラムは前記コンピュータに、
複数の放送局名に共通する共通語を認識させ、共通語ごとに対応する１又は２以上の周波数を記録したテーブルを参照することによって、認識された共通語に対応する周波数を前記チューナーに選局させ、
前記選局させる処理は、周波数を記憶するプリセットメモリを用いて、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させることを特徴とする音声認識による選局用プログラムを記録した記録媒体。
【請求項９】
共通語と他の語句からなる放送局名が認識された場合に、前記チューナーに出力されるコマンドを当該共通語と対応させて記憶させ、
前記選局させる処理は、共通語が認識され、当該共通語と対応させてコマンドが記憶されている場合に、当該コマンドを前記チューナーに出力させることを特徴とする請求項７又は８に記載の音声認識による選局用プログラムを記録した記録媒体。
【発明の詳細な説明】
【０００１】
【発明の属する技術分野】
本発明は、音声認識によってラジオなどのチューナーに選局を行わせる技術の改良に関するもので、より具体的には、放送局名に共通の語句を発話するだけで、対応する周波数を容易に選局するものである。
【０００２】
【従来の技術】
音声認識は、認識しようとする語句ごとに、語句の波形や特徴を表すパラメータなどの認識用データを予めデータベースに記録しておき、発話された言葉をこれら認識用データとパターンマッチングすることによって、発話された語句を推定する技術である。
【０００３】
このような音声認識をオーディオシステムなど各種制御対象の制御に用いる場合、どの語句を発話した場合にどのような内容の制御が行われるか、予め定めておく。そして、語句の認識結果は、認識用データに対応した語句ＩＤなどの形で得られ、制御用のアプリケーションプログラムがこの認識結果を受け取り、どの語句が認識されたか、すなわちユーザの発話語句に応じて予め決められている制御を制御対象に対して行う。
【０００４】
このような音声認識をラジオなどの選局に適用すれば、ユーザが放送局名を言うだけでチューニングを自動的に行うことができ、カーオーディオシステムなどでも選局の際にスイッチ操作が必要なくなるので、運転の安全性が向上する。
【０００５】
【発明が解決しようとする課題】
ところで、テレビやラジオなどの放送局名は、「ＮＨＫアキタ」「ＮＨＫセンダイ」のように、系列名のような共通の語句＋地域名という構成のことが多い。ここで、このように放送局名に含まれる共通の語句を本出願では「共通語」と呼ぶ。そして、地域が違っても、同じ共通語を名称に含む放送局同士では放送内容の多くは共通するので、視聴者は、日常会話では放送局をわざわざ「ＮＨＫアキタ」のように正式な名称では呼ばず、単に「ＮＨＫ」のように共通語だけで呼ぶことが多い。
【０００６】
しかしながら、従来の音声認識では、認識される語句と制御内容とは常に１対１で対応させており、例えばいくつかの互いに違った周波数を選局するそれぞれの動作は、互いに違った語句を対応させなければならない。そして、同じ系列局でも放送周波数は地域によって異なるため、放送局名を発話して対応する周波数を選局させるためには、「ＮＨＫアキタ」が１５０３ｋＨｚ、「ＮＨＫセンダイ」が８９１ｋＨｚ、「ＮＨＫヤマガタ」が５４０ｋＨｚというように、各地の正式な放送局名を認識する語句とし、語句ごとに異なった周波数を設定していた。
【０００７】
このような従来技術を用いる場合、ユーザは、地域ごとの放送局名を予め正確に暗記しておき、現在車がどの地域を走っているか判断したうえ、その地域の放送局名を発話しなければならなかった。そして、ユーザが日常会話と同様に「ＮＨＫ」と共通語だけ発話しても、その語句はデータベースにないため認識されず、チューニングを行うことはできなかった。
【０００８】
特に、東北の受信地域のように「ＮＨＫアキタ」「ＮＨＫセンダイ」「ＮＨＫヤマガタ」といった放送局が混在しているような場合は、「ＮＨＫ」とだけ発話しても従来の音声認識ではどの放送局を指しているか認識できないだけでなく、現在地では「ＮＨＫアキタ」「ＮＨＫセンダイ」「ＮＨＫヤマガタ」のうちどれを発話すべきかの判断自体も困難であった。
【０００９】
本発明は、上記のような従来技術の問題点を解決するために提案されたもので、その目的は、放送局名に共通の語句を発話するだけで、対応する周波数を容易に選局する音声認識の技術を提供することである。
【００１０】
【課題を解決するための手段】
上記の目的を達成するため、請求項１の発明は、語句を認識してチューナーに選局を行わせる音声認識による選局装置において、複数の放送局名に共通する共通語を認識する手段と、共通語ごとに対応する１又は２以上の周波数を記録したテーブルと、前記テーブルを参照することによって、認識された共通語に対応する周波数を前記チューナーに選局させる手段と、地域を選択する手段とを備え、前記テーブルには、地域と周波数との対応関係が記録され、前記選局させる手段は、認識された共通語に対応し、かつ、選択されている地域に対応する周波数を前記チューナーに選局させるように構成されたことを特徴とする。
請求項４の発明は、請求項１の発明を方法の観点から把握したもので、語句を認識してチューナーに選局を行わせる音声認識による選局方法において、複数の放送局名に共通する共通語を認識するステップと、共通語ごとに対応する１又は２以上の周波数を記録したテーブルを参照することによって、認識された共通語に対応する周波数を前記チューナーに選局させるステップと、地域を選択するステップと、を含み、前記選局させるステップは、前記テーブルに記録された地域と周波数との対応関係に基づいて、認識された共通語に対応し、かつ、選択されている地域に対応する周波数を前記チューナーに選局させることを特徴とする。
請求項７の発明は、請求項１の発明をコンピュータプログラムを記録した記録媒体の観点から把握したもので、コンピュータを用いて、語句を認識してチューナーに選局を行わせる音声認識による選局用プログラムを記録した記録媒体において、当該プログラムは前記コンピュータに、複数の放送局名に共通する共通語を認識させ、共通語ごとに対応する１又は２以上の周波数を記録したテーブルを参照することによって、認識された共通語に対応する周波数を前記チューナーに選局させ、地域を選択させ、前記選局させる処理は、前記テーブルに記録された地域と周波数との対応関係に基づいて、認識された共通語に対応し、かつ、選択されている地域に対応する周波数を前記チューナーに選局させることを特徴とする。
【００１１】
請求項１，４，７の発明では、「ＮＨＫアキタ」のように「共通語＋地域名」といった形式の放送局名がある場合、「ＮＨＫ」のように共通語の部分を発話すれば、対応する放送局の周波数が選局される。このため、放送局名の全体を地域ごとに暗記する必要がなくなり、音声認識による選局が大幅に容易になる。また、視聴者が現在どの地域にいるかが手動や自動で選択され、その地域の放送局の周波数だけが選局の対象となるので、共通語に対応する周波数の候補をいくつか試す場合でも、電波の届かない地域の周波数を扱う必要がなくなり、短時間で選局が完了する。
【００１２】
請求項２の発明は、語句を認識してチューナーに選局を行わせる音声認識による選局装置において、複数の放送局名に共通する共通語を認識する手段と、共通語ごとに対応する１又は２以上の周波数を記録したテーブルと、前記テーブルを参照することによって、認識された共通語に対応する周波数を前記チューナーに選局させる手段と、周波数を記憶するプリセットメモリとを備え、前記選局させる手段は、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させるように構成されたことを特徴とする。
請求項５の発明は、請求項２の発明を方法の観点から把握したもので、語句を認識してチューナーに選局を行わせる音声認識による選局方法において、複数の放送局名に共通する共通語を認識するステップと、共通語ごとに対応する１又は２以上の周波数を記録したテーブルを参照することによって、認識された共通語に対応する周波数を前記チューナーに選局させるステップと、を含み、前記選局させるステップは、周波数を記憶するプリセットメモリを用いて、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させることを特徴とする。
請求項８の発明は、請求項２の発明をコンピュータプログラムを記録した記録媒体の観点から把握したもので、コンピュータを用いて、語句を認識してチューナーに選局を行わせる音声認識による選局用プログラムを記録した記録媒体において、当該プログラムは前記コンピュータに、複数の放送局名に共通する共通語を認識させ、共通語ごとに対応する１又は２以上の周波数を記録したテーブルを参照することによって、認識された共通語に対応する周波数を前記チューナーに選局させ、前記選局させる処理は、周波数を記憶するプリセットメモリを用いて、前記対応する周波数のうち前記プリセットメモリに記憶されている周波数を前記チューナーに選局させ、プリセットメモリに記憶されている周波数が受信できない場合に、前記対応する周波数のうち前記プリセットメモリに記憶されていない周波数を前記チューナーに選局させることを特徴とする。
【００１３】
請求項２，５，８の発明では、共通語に対応する周波数の中でも、プリセットメモリに記憶されている周波数が優先して選局される。このようにカーオーディオのようなシステムのプリセットメモリに記憶されている周波数は、そのシステムがいつも使用されている地域で受信可能な周波数であるから受信可能な場合が多く、選局が迅速に行われる。
【００１４】
請求項３の発明は、請求項１又は２に記載の音声認識による選局装置において、共通語と他の語句からなる放送局名が認識された場合に、前記チューナーに出力されるコマンドを当該共通語と対応させて記憶する手段を有し、前記選局させる手段は、共通語が認識され、当該共通語と対応させてコマンドが記憶されている場合に、当該コマンドを前記チューナーに出力するように構成されたことを特徴とする。
請求項６の発明は、請求項１の発明を方法の観点から把握したもので、請求項４又は５に記載の発明において、共通語と他の語句からなる放送局名が認識された場合に、前記チューナーに出力されるコマンドを当該共通語と対応させて記憶するステップを含み、前記選局させるステップは、共通語が認識され、当該共通語と対応させてコマンドが記憶されている場合に、当該コマンドを前記チューナーに出力させることを特徴とする。
請求項９の発明は、請求項１の発明をコンピュータプログラムを記録した記録媒体の観点から把握したもので、請求項７又は８に記載の発明において、共通語と他の語句からなる放送局名が認識された場合に、前記チューナーに出力されるコマンドを当該共通語と対応させて記憶させ、前記選局させる処理は、共通語が認識され、当該共通語と対応させてコマンドが記憶されている場合に、当該コマンドを前記チューナーに出力させることを特徴とする。
【００１５】
請求項３，６，９の発明では、共通語だけでなく地域名等がついた正式な放送局名を発話して選局が行われた場合、そのときに用いられたコマンドがその共通語と対応させて記憶され、次に同じ共通語が認識された場合は記憶されていたコマンドをチューナーに出力することによって選局を迅速に行うことができる。
【００１６】
【発明の実施の形態】
次に、本発明の複数の実施の形態について、図面を参照して説明する。
なお、本発明の各機能は、カーオーディオシステムなどに組み込まれたマイクロコンピュータを、ソフトウェアで制御することによって実現することが一般的と考えられる。この場合、コンピュータが備えるレジスタ、メモリなどの記憶装置が、いろいろな形式で、情報を一時的に保持したり永続的に保存する。そして、ＣＰＵが、前記ソフトウェアにしたがって、これらの情報に加工及び判断などの処理を加え、さらに、処理の順序を制御する。
【００１７】
また、コンピュータを制御するソフトウェアは、本出願の各請求項及び本明細書に記述する処理に対応した命令を組み合わせることによって作成され、作成されたソフトウェアは、コンパイルされた組み込みソフトウェアなどの形式で実行されることで、上記のようなハードウェア資源を活用する。
【００１８】
但し、本発明を実現するための上記のような態様はいろいろ変更することができ、例えば、本発明を実現するソフトウェアを記録したＲＯＭチップやＣＤ−ＲＯＭのような記録媒体は、それ単独でも本発明の一態様である。また、本発明の機能の一部をＬＳＩなどの物理的な電子回路で実現することも可能である。
【００１９】
このため、以下では、本発明の各機能を実現する仮想的回路ブロックを用いることによって、本発明の実施の形態（以下「実施形態」という）を説明する。
なお、説明に用いるそれぞれの図について、それ以前に説明した図と同一又は同種の部材に関しては説明を省略する。
【００２０】
〔１．第１実施形態〕
第１実施形態は、請求項１，３，４，７，９，１１に対応するカーオーディオシステムで、共通語を発話した場合、選択されている地域で共通語に対応する放送局の各周波数のうち、プリセットメモリに記憶されている周波数を優先して選局するものである。
【００２１】
〔１−１．構成〕
〔１−１−１．全体構成〕
図１は、第１実施形態の全体構成を示すブロック図である。第１実施形態は、この図に示すように、センターユニット１００と、ＴＶチューナーユニット１０１と、ＣＤチェンジャユニット１０２と、ＭＤチェンジャユニット１０３と、ＤＳＰ（デジタルシグナルプロセッサ／デジタルサウンドプロセッサ）ユニット１０４と、ＥＱ（イコライザ）ユニット１０５と、音声認識装置１０６とを、バスライン１０８で接続したカーオーディオシステムである。
【００２２】
このうちセンターユニット１００は、ラジオチューナーやアンプを内蔵し、選局された周波数の放送内容を図示しない車載スピーカに流す機能を持つ。また、音声認識装置１０６は、語句を認識することによって、センターユニット１００のチューナーに選局を行わせたり、他の各ユニットを制御するユニットである。
【００２３】
〔１−１−２．音声認識装置の構成〕
ここで、図２は、図１のカーオーディオシステムのうち、特に音声認識による選局の機能に関する部分の構成を示す機能ブロック図である。なお、この図では、音声認識装置１０６とセンターユニット１００との間のバスライン１０８は省略する。そして、音声認識装置１０６は、この図に示すように、認識辞書１と、音声入力部２と、パターンマッチング部３と、コマンド出力部４と、を有する。このうち、認識辞書１は認識しようとする語句ごとの特徴を表す認識用データを格納している手段である。
【００２４】
また、音声入力部２は、図示しないマイクロホンなどから入力されるユーザの音声をデジタル波形に変換する手段である。また、パターンマッチング部３は、変換されたデジタル波形を各認識用データと比較（パターンマッチング）することによって語句を認識する手段である。また、コマンド出力部４は、認識された語句に応じた制御用コマンドを送信することによってシステムの各ユニットを制御する手段である。
【００２５】
そして、これら認識辞書１、音声入力部２、パターンマッチング部３及びコマンド出力部４は、特許請求の範囲にいう「共通語を認識する手段」を構成しており、具体的には、認識辞書１には「ＮＨＫアキタ」などの放送局名に含まれる共通語である「ＮＨＫ」という語句の特徴を表す認識用データが格納されていて、ユーザがこのような共通語を発話すると、入力された音声から共通語が認識される。
【００２６】
また、音声認識装置１０６は、テーブル６と、選局制御手段７と、を有する。このうちテーブル６は、共通語ごとに、対応する放送局名とその周波数とを記録したものである。例えば「ＮＨＫ」という共通語に対応して、放送局「ＮＨＫアキタ」が周波数１５０３ｋＨｚ、放送局「ＮＨＫセンダイ」が周波数８９１ｋＨｚ、放送局「ＮＨＫヤマガタ」が周波数５４０ｋＨｚであることが記録されている。これらは東北地域の放送局であるが、テーブル６ではこのように、放送局と周波数とが地域ごとに分類して格納されているものとする。
【００２７】
また、選局制御手段７は、特許請求の範囲にいう「選局させる手段」に相当するもので、前記のような共通語が認識された場合、テーブル６を参照することによって、認識された共通語に対応する周波数をチューナー５に選局させる手段である。
【００２８】
〔１−１−３．センターユニットの構成〕
また、センターユニット１００は、チューナー５と、地域選択手段８と、プリセットメモリ９と、を有する。このうちチューナー５は、コマンド出力部４及び選局制御手段７からの制御コマンドを受信することによって各種動作を行うように構成されており、以下の例では主にＡＭラジオの受信を例にとって説明するが、チューナー５としてはＦＭラジオ、ＶＨＦやＵＨＦのテレビチューナーなど所望の種類のものを用いることができる。また、地域選択手段８は、このカーオーディオシステムを搭載した自動車が現在どこにいるかに応じて、ラジオやテレビの受信地域を、関東、東北などのように選択する手段である。
【００２９】
この地域選択手段８の一例としては、ユーザが現在位置を自分で判断し、地域の名称やコード番号などをスイッチ操作で本システムに入力するものが考えられる。また、この地域選択手段８の別の例としては、本システムに接続されているカーナビゲーションシステムから、ＧＰＳなどを用いて取得した現在位置を送信させて地域を選択するものが考えられる。
【００３０】
地域選択手段８のさらに別の例としては、本出願人が特開平７−３２１６０６（ラジオ受信機）で開示した技術を用いるものも考えられる。この技術は、ラジオ受信機の現在位置を特定するもので、地域ごとにどのような周波数の電波があるかのデータを予め用意しておき、現在位置を特定するときは、その位置で受信できる電波の周波数をチューナーでシークさせることによって検出する。そして、予め用意してあった地域ごとの周波数のデータと、検出された周波数の組み合わせを比較し、一致度の高い地域を現在の地域と判断するものである。
【００３１】
また、プリセットメモリ９は、チューナー５で選局する周波数を記憶するものであり、本システムが販売された地域などに合わせて予めその地域の放送局の周波数が設定されているほか、ユーザが、自分のよく聞く周波数に合わせて周波数の追加や変更を行うことができるものである。
【００３２】
〔１−２．作用及び効果〕
上記のような第１実施形態は次のような作用を有する。ここでは、東北の受信地域が選択されているときに、ユーザが「ＮＨＫ」と発話した場合の例を示す。この場合、東北の受信地域では、「ＮＨＫアキタ」「ＮＨＫセンダイ」「ＮＨＫヤマガタ」という放送局の電波が混在しているが、これらのうちプリセットメモリ９に記憶されている周波数が優先的に選局される。
【００３３】
ここで、図３は、第１実施形態における選局の処理手順を示すフローチャートである。すなわち、ユーザが「ＮＨＫ」と発話すると（ステップ１１）、音声認識装置１０６によって共通語「ＮＨＫ」が認識される。音声認識装置１０６のコマンド出力部４は、共通語以外の通常の語句が認識された場合は（ステップ１２）、通常の認識結果に対する処理として（ステップ１３）、語句に応じた制御コマンドをバスライン１０８を介して送信することによってセンターユニット１００など各ユニットを制御するが、共通語が認識された場合は（ステップ１２）、どの語句が認識されたかを選局制御手段７に通知し、チューナー５の制御は選局制御手段７によって行われる。
【００３４】
すなわち、選局制御手段７は、共通語「ＮＨＫ」が認識されたという情報を受け取ると、テーブル６を参照することによって、この共通語「ＮＨＫ」に対応する各放送局の周波数を調べる。この場合は、東北地域が選択されているので、選局制御手段７は、東北地域に対応する「ＮＨＫアキタ」「ＮＨＫセンダイ」「ＮＨＫヤマガタ」の各放送局の周波数をテーブル６から取り出す。
【００３５】
次に、選局制御手段７は、取り出した周波数をチューナー５に選局させるが、このとき、取り出した周波数をプリセットメモリ９内に記憶されている各周波数と照らし合わせ（ステップ１４）、まず、共通語に対応する各周波数のうちプリセットメモリ９に記憶されている周波数をチューナー５に選局させる。例えば、プリセットメモリ９に「ＮＨＫアキタ」が登録されている場合、この登録されている周波数をプリセットメモリ９を使って選局させる制御コマンドを、バスライン１０８を介してラジオやテレビのチューナーを持つユニット、この例ではセンターユニット１００に送信することによって選局を行わせる（ステップ１５）。
【００３６】
共通語に対応する周波数のうち、プリセットメモリ９に記憶されているものが複数ある場合、そのうちどれを選局するように構成してもよいが、例えば、プリセットメモリ９に記憶されている番号が小さいものを受信させるなどすればよい。
【００３７】
また、共通語に対応する周波数がどれもプリセットメモリ９に記憶されていない場合は（ステップ１４）、音声認識装置１０６のテーブル６に地域ごとに格納されている各周波数ごとに代表（デフォルト）となる初期値を予め定めておき、この初期値をラジオやテレビのチューナーを持つユニットに送出すればよい（ステップ１６）。
【００３８】
なお、プリセットメモリ９に記憶されている周波数が受信できない場合は、共通語に対応する周波数のうちプリセットメモリ９に記憶されていない周波数をチューナー５に選局させる。
【００３９】
以上のように、第１実施形態では、「ＮＨＫアキタ」のように「共通語＋地域名」といった形式の放送局名がある場合、「ＮＨＫ」のように共通語の部分を発話すれば、対応する放送局の周波数が選局される。このため、放送局名の全体を地域ごとに暗記する必要がなくなり、音声認識による選局が大幅に容易になる。
【００４０】
また、第１実施形態では、視聴者が現在どの地域にいるかが手動や自動で選択され、その地域の放送局の周波数だけが選局の対象となるので、共通語に対応する周波数の候補をいくつか試す場合でも、電波の届かない地域の周波数を扱う必要がなくなり、短時間で選局が完了する。
【００４１】
特に、第１実施形態では、共通語に対応する周波数の中でも、プリセットメモリに記憶されている周波数が優先して選局される。このようにカーオーディオのようなシステムのプリセットメモリに記憶されている周波数は、そのシステムがいつも使用されている地域で受信可能な周波数であるから受信可能な場合が多く、選局が迅速に行われる。
【００４２】
〔２．第２実施形態〕
第２実施形態は、請求項５，１０に対応するもので、第１実施形態と同様の構成を有するカーオーディオシステムにおいて、同じ共通語に対応する周波数が複数あるとき、共通語を繰り返し発話することで複数の周波数を順次切り替えて選局する例を示すものである。
【００４３】
この例では、同じ共通語に複数の周波数が対応する場合、選局制御手段７がそれらを呼び出す順序は、正式な放送局名から共通語の部分を除いた地域名を基準として、アイウエオ順とする。ここで、図４は、第２実施形態における選局の処理手順を示すフローチャートである。
【００４４】
例えば、受信地域として東北が選択されている場合に、ユーザが共通語「ＮＨＫ」を発話すると（ステップ２１，２２）、テーブル６からは、東北の受信地域内でこの共通語に対応するラジオの放送局として「ＮＨＫアキタ」「ＮＨＫセンダイ」「ＮＨＫヤマガタ」（アイウエオ順）という３つが発見される。そして、東北地方のこれら３局の初期値（代表）としても、アイウエオ順で最初となる「ＮＨＫアキタ」が予め決められているものとする。
【００４５】
この場合、ユーザが１回目に共通語「ＮＨＫ」を発話した場合は、まだこの共通語に対応する「共通語＋＊＊＊」といった放送局の周波数は受信中ではないので（ステップ２４）、選局制御手段７は、初期値である「ＮＨＫアキタ」の周波数を受信させるコマンドを、バスライン１０８を介してセンターユニット１００に送出する（ステップ２６）。
【００４６】
そして、再度同じ共通語「ＮＨＫ」が発話された場合は、チューナー５はコマンドに基づいて共通語に対応する周波数を既に選局し受信中であるから（ステップ２４）、選局制御手段７は、共通語「ＮＨＫ」に対応する次の放送局、この場合は「ＮＨＫセンダイ」の周波数を受信させるための制御コマンドを送出する（ステップ２５）。
【００４７】
ユーザは、このように同じＮＨＫの地方局の中でも、自分が聞きたい希望の放送局の周波数になるまで次々と「ＮＨＫ」と発話することによって、「ＮＨＫ＋＊＊＊」に該当する放送局の周波数が次々と受信され、希望の「ＮＨＫ＋＊＊＊」の放送局を探すことができる。なお、このように複数の放送局の周波数が受信されていく順番は、地域名についてのアイウエオ順だけでなく、出力ワット数の大きい順や順不同でもよく、音声認識装置１０６のメモリに、テーブル６がどのように格納されているかの形式に応じて適宜変更することができる。
【００４８】
以上のように、第２実施形態では、共通語に対応する周波数の候補がいくつかある場合、同じ共通語を繰り返すことによって順次周波数を切り替えさせることによって、共通語という１種類の語句を用いるだけで所望の放送局の周波数を容易に選局することが可能となる。
【００４９】
〔３．第３実施形態〕
第３実施形態は、請求項２，８に対応するもので、第１及び第２実施形態と同様の構成を有するカーオーディオシステムにおいて、同じ共通語に対応する複数の周波数を順次切り替えて受信させ、受信状況が良好な周波数で切り替えを停止させる例を示すものである。
【００５０】
ここで、図５は、第３実施形態における選局の処理手順を示すフローチャートである。すなわち、第３実施形態では、発話内容が共通語のみの発話であった場合（ステップ３１，３２）、選局制御手段７はチューナー５に、共通語に対応するいずれかの放送局すなわち「共通語＋＊＊＊」の周波数を検出するまで自動掃引（シーク）させるためのコマンドを送出する（ステップ３５）。
【００５１】
ここで、図６は、このコマンドを受け取った場合のチューナー５の動作手順を示すフローチャートである。すなわち、チューナー５は、帯域が終了するまで（ステップ４２）シークを行い（ステップ４１）、電波を検出すると（ステップ４３）電界強度が予め定めた基準値以上のものについて（ステップ４４）、「共通語＋＊＊＊」すなわち共通語に対応する放送局の周波数かどうか判断し（ステップ４５）、対応する放送局の周波数であればその受信内容をスピーカに接続して視聴可能な状態にしたうえで（ステップ４６）シークを終了する。そして、電界強度が基準値未満の場合や（ステップ４４）、対応する放送局の周波数でない場合は（ステップ４５）再度シーク（ステップ４１）を続行する。
【００５２】
なお、周波数が共通語に対応するものかどうかをチューナー５が判断するには、チューナー５から選局制御手段７に周波数ごとに問い合わせを出してもよいし、選局制御手段７からチューナー５にコマンドを送信する際、コマンドと一緒に候補となる複数の周波数を渡し、チューナー５の側では検出した周波数とこの受け取った周波数とを照らし合わせることによって判断してもよい。
【００５３】
なお、このように自動掃引の結果、受信が開始された周波数がユーザの希望する放送局のものでなかった場合は、ユーザは、第２実施形態に準じて、再び同じ「ＮＨＫ」といった共通語を発話すればよい。そして、これが認識された場合は、例えば、選局制御手段７の側で現在受信中の周波数を候補から外したうえで、再び自動掃引するコマンドをセンターユニット１００のチューナー５に送信する。このようにすれば、「ＮＨＫ」といった同じ共通語を繰り返すだけで、希望の放送局の中から受信状態の良好な放送局の周波数を選局することができる。
【００５４】
以上のように、第３実施形態では、共通語に対応する各放送局の周波数が順次切り替えて受信され、電界強度が基準値を超えるなどの受信状況に基づいてこの切り替えが停止する。このため、共通語に対応する放送局がいくつかあるような場合、受信状況のよい放送局の周波数が自動的に選択され、ユーザが受信状況をみながら選局を切り替えるなどの煩雑な操作が不要となる。
【００５５】
〔４．第４実施形態〕
第４実施形態は、請求項６に対応するもので、共通語と地域名からなる放送局名が認識されて選局された場合にそのときチューナーに出力したコマンドを記憶しておき、その後共通語だけが発話されたときに、同じコマンドで選局を行うものである。
【００５６】
この第４実施形態は、全体としては図１に示したと同様の構成を有するが、図７に示すように、音声認識装置１０６にコマンド記憶手段１０を設けている。このコマンド記憶手段１０は、共通語と他の語句からなる放送局名が認識された場合に、チューナー５に出力されるコマンドをその共通語と対応させて記憶する手段である。
【００５７】
この第４実施形態では、ラジオを選局するために、ユーザが「ＮＨＫアキタ」のように、共通語に地域名のついた「ＮＨＫ＋＊＊＊」のような形式の語句を発話すると、この語句に応じて例えば「ＡＭの１５０３ｋＨｚに選局」といった内容の制御コマンドが、コマンド出力部４又は選局制御手段７から、バスライン１０８を経由してセンターユニット１００のチューナー５に出力されることによって選局が行われる。そして、このコマンドは、選局制御手段７によって、共通語「ＮＨＫ」に対応するものとしてコマンド記憶手段１０に記憶される。
【００５８】
その後、図８に示すように、ユーザが「ＮＨＫ」という共通語だけを発話した場合（ステップ５３）、選局制御手段７は、この共通語に地域名をつけた「共通語＋＊＊＊」という形式のコマンドがすでに送出されてコマンドが記憶されているかどうかを判断する（ステップ５５）。そして、まだ送出されていない場合、選局制御手段７は、第１実施形態と同様に、この共通語に対応するものとして音声認識装置１０６のテーブル６に格納されている各周波数のなかから予め初期値として決められている周波数を受信させるコマンドをチューナー５に送出する（ステップ５７）。
【００５９】
一方、すでに送出されている場合、選局制御手段７は、コマンド記憶手段１０に記憶されているコマンドと同じコマンドをチューナー５に送出する（ステップ５６）。なお、コマンド記憶手段１０にコマンドが記憶されたときに、そのもととなった「共通語＋＊＊＊」と同じ語句が認識された場合も（ステップ５２）、コマンド記憶手段１０に記憶されているコマンドを用いることができる（ステップ５６）。
【００６０】
以上のように、第３実施形態では、ユーザが希望の放送局として、一旦、共通語に地域名等がついた「ＮＨＫ＋＊＊＊」といった正式な放送局名を発話して選局が行われた場合、そのときに用いられたコマンドがその共通語と対応させて記憶される。そして、次回からは、共通語の部分だけを発話すれば、記憶されていたコマンドをチューナーに出力することによって、前回と同じ希望の放送局への選局が迅速に行われる。
【００６１】
〔５．他の実施の形態〕
なお、本発明は上記各実施形態に限定されるものではなく、次に例示するような他の実施の形態も含むものである。例えば、図１，図２，図７に示した構成は一例に過ぎず、本発明は、カーオーディオシステム以外の例えば据置型のテレビやラジオなどの選局に用いてもよい。
【００６２】
また、選局制御手段、地域選択手段、テーブル、コマンド記憶手段、プリセットメモリといった構成要素は、音声認識装置内に設けてもセンターユニット内に設けてもよく、どこに設けるかは相互に独立して決めることができる。また、チューナーを含め、図２に示した全ての要素を一体のユニット内に設けたり、地域選択手段、プリセットメモリ、コマンド記憶手段を省略することもできる。
【００６３】
【発明の効果】
以上のように、本発明によれば、放送局名に共通の語句を発話するだけで、対応する周波数を容易に選局することができるので、選局が容易になるだけでなく、カーオーディオシステムなどに適用すれば運転の安全性が向上する。
【図面の簡単な説明】
【図１】本発明の第１実施形態の全体構成を示すブロック図。
【図２】本発明の第１実施形態において、音声認識による選局に関する部分の構成を示す機能ブロック図。
【図３】本発明の第１実施形態における選局の処理手順を示すフローチャート。
【図４】本発明の第２実施形態における選局の処理手順を示すフローチャート。
【図５】本発明の第３実施形態における選局の処理手順を示すフローチャート。
【図６】本発明の第３実施形態における自動掃引の手順を示すフローチャート。ャート。
【図７】本発明の第４実施形態において、音声認識による選局に関する部分の構成を示す機能ブロック図。
【図８】本発明の第４実施形態における選局の処理手順を示すフローチャート。ャート。
【符号の説明】
１００…センターユニット
１０１…ＴＶチューナーユニット
１０２…ＣＤチェンジャユニット
１０３…ＭＤチェンジャユニット
１０４…ＤＳＰユニット
１０５…ＥＱユニット
１０６…音声認識装置
１…認識辞書
２…音声入力部
３…パターンマッチング部
４…コマンド出力部
５…チューナー
６…テーブル
７…選局制御手段
８…地域選択手段
９…プリセットメモリ
１０…コマンド記憶手段
【図１】
0003913884.tif 000002
【図２】
0003913884.tif 000003
【図３】
0003913884.tif 000004
【図４】
0003913884.tif 000005
【図５】
0003913884.tif 000006
【図６】
0003913884.tif 000007
【図７】
0003913884.tif 000008
【図８】
0003913884.tif 000009